(57)【特許請求の範囲】
【請求項１】
建物躯体に突出した状態で固定される外部突出部材と、この外部突出部材の周囲の建物躯体の表面を所定の隙間をおいて覆う外壁化粧部材と、建物躯体の室外側の表面に固定され外部突出部材を支持する支持板とを備えた外部突出部材の取付構造であって、
外部突出部材は、その上面の建物躯体側に上方向に突出する上方突出片を備え、
この上方突出片は、その上端が外壁化粧部材の下端より前記隙間内に向かって上方に差し込まれるとともに、前記外壁化粧部材の下端と外部突出部材の上面との間から差し込まれる締結部材を介して建物躯体に固定される締結固定部を備え、
外部突出部材の上方に隣接する外壁化粧部材の下端と外部突出部材の上面との間には、両者の間を埋める防水部材が形成され、
前記締結固定部は、防水部材の建物躯体側に位置してなり、
支持板は、上部において上方に向かって延びて建物躯体の表面との間に上方に向かって開口する隙間を有する引っ掛け部と、下部において上方に向かって延びて建物躯体の表面との間に上方に向かって開口する隙間を有する下部引っ掛け部とを備え、
外部突出部材の建物躯体側の表面には、下方に向かって突出して引っ掛け部の隙間に差し込み可能な差込片が形成されるとともに、下部引っ掛け部にその縁を引っ掛けることができる穴が開口されていることを特徴とする外部突出部材の取付構造。
【請求項２】
建物躯体に突出した状態で固定される外部突出部材と、この外部突出部材の周囲の建物躯体の表面を所定の隙間をおいて覆う外壁化粧部材と、建物躯体の室外側の表面に固定され外部突出部材を支持する支持板とを備えた外部突出部材の取付構造であって、
外部突出部材は、その上面の建物躯体側に上方向に突出する上方突出片を備え、
この上方突出片は、その上端が外壁化粧部材の下端より前記隙間内に向かって上方に差し込まれるとともに、前記外壁化粧部材の下端と外部突出部材の上面との間から差し込まれる締結部材を介して建物躯体に固定される締結固定部を備え、
外部突出部材の上方に隣接する外壁化粧部材の下端と外部突出部材の上面との間には、両者の間を埋める防水部材が形成され、
前記締結固定部は、防水部材の建物躯体側に位置してなり、
支持板には、下方側に向かって鉤状に折り返されて、上方突出片が差し込み可能であるとともに差し込まれた上方突出片の建物躯体側への動きを拘束する仮止めフック部と、外部突出部材の建物躯体側の下部を支持する支持部とが形成され、
仮止めフック部は、前記隙間内に位置し、
上方突出片は、仮止めフック部内の建物躯体側の内面に当接するとともに、その先端が反建物躯体側に向かって折れ曲がって仮止めフック部内の反建物躯体側の内面に当接していることを特徴とする外部突出部材の取付構造。
【請求項３】
建物躯体に突出した状態で固定される外部突出部材と、この外部突出部材の周囲の建物躯体の表面を所定の隙間をおいて覆う外壁化粧部材と、建物躯体の室外側の表面に固定され外部突出部材を支持する支持板とを備えた外部突出部材の取付構造であって、
外部突出部材は、その上面の建物躯体側に上方向に突出する上方突出片を備え、
この上方突出片は、その上端が外壁化粧部材の下端より前記隙間内に向かって上方に差し込まれるとともに、前記外壁化粧部材の下端と外部突出部材の上面との間から差し込まれる締結部材を介して建物躯体に固定される締結固定部を備え、
外部突出部材の上方に隣接する外壁化粧部材の下端と外部突出部材の上面との間には、両者の間を埋める防水部材が形成され、
前記締結固定部は、防水部材の建物躯体側に位置してなり、
支持板には、上方に向かって延びて建物躯体との間に上方に向かって開口する隙間を有する引っ掛け部が形成され、
外部突出部材の建物躯体側には、下方に向かって突出して引っ掛け部の隙間に差し込み可能な差込片が形成され、
前記引っ掛け部には、その先端から斜め外側下方に延びて差込片を案内する案内部が形成され、
案内部には、その下端から斜め外側上方に向かって折れ曲がった折れ曲がり部が形成されていることを特徴とする外部突出部材の取付構造。
【請求項４】
上方突出片は、その建物躯体側に水密材が形成されていることを特徴とする請求項１、請求項２または請求項３記載の外部突出部材の取付構造。
【請求項５】
建物躯体に突出した状態で固定される外部突出部材と、この外部突出部材の上方の建物躯体の表面を覆う外壁化粧部材と、建物躯体の室外側の表面に固定され外部突出部材を支持する支持板とを備えた外部突出部材の取付方法であって、
この外部突出部材は、その上面の建物躯体側に上方向に突出する上方突出片を備え、
この上方突出片は、締結部材を介して建物躯体に固定される締結固定部を備え、
支持板は、上部において上方に向かって延びて建物躯体の表面との間に上方に向かって開口する隙間を有する引っ掛け部と、下部において上方に向かって延びて建物躯体の表面との間に上方に向かって開口する隙間を有する下部引っ掛け部とを備え、
外壁化粧部材と建物躯体との間の隙間内に上方突出片を差し込む工程と、
外部突出部材の上方に隣接する外壁化粧部材の下端と外部突出部材の上面との間に締結固定部を配置する工程と、
外部突出部材の建物躯体側の表面に形成されている差込片を引っ掛け部の隙間に差し込み、穴の縁を下部引っ掛け部に引っ掛ける工程と、
外部突出部材の上方に隣接する外壁化粧部材の下端と外部突出部材の上面との間から締結部材を差し込んで締結固定部を建物躯体に固定する工程と、
外部突出部材の上方に隣接する外壁化粧部材の下端と外部突出部材の上面との間を防水部材により埋める工程とを備えたことを特徴とする外部突出部材の取付方法。
【発明の詳細な説明】
【０００１】
【発明の属する技術分野】
この発明は、建物躯体の外壁に固定される外部突出部材の取付構造及びその取付方法に関する。
【０００２】
【先行技術】
従来の外部突出部材の取付構造には、以下のような例が上げられる。
特開平４−１８２５９３号公報に記載されているように、シャッターケースの上面の天板の外壁側の端部に水平部と、その先に立ち上がり片を設け、この水平部を上下に隣接する外壁の間の隙間に挿入するとともに上記立ち上がり片を上側の外壁の裏側下端部に沿って配設したシャッターケースの取付構造がある。
【０００３】
また、特開平９−６０４５０号公報に記載されているように、建物の外壁面に設けられた支持金具により支持されて固定されるようになされたシャッターケースの取付構造であって、シャッターケース上面の天板の外壁面側の端部の下方に屈曲されて設けられた止水片が、シャッターケースが支持金具に上方より落とし込まれた固定された状態で、外壁面に固定された止水金具の上面に張設された水密材を押圧し、止水するようになされていることを特徴とするシャッターケースの取付構造がある。
【０００４】
なお、近年では、建築現場での生産性の向上や、品質の均一性や、品質の向上を目的として、建築部材を予め工場で作成して、現場では、簡単な組立や取付だけで済むようにしたプレファブ工法が進められており、その一環として、予め工場で、外壁化粧部材、いわゆるサイディングまで取り付けた建築パネルの使用が検討されている。
【０００５】
【発明が解決しようとする課題】
しかし、上記した従来の外部突出部材の取付構造において、前者の特開平４−１８２５９３号公報に記載されている技術では、シャッターケースの上側となる外壁化粧部材は、シャッターケースの取付時に施工する必要があるため、予め外壁化粧部材等を取り付けたプレファブ住宅、例えばユニット建物等においては、施工が困難であるなどの制約を受けるという第一の問題点があった。
【０００６】
また、後者の特開平９−６０４５０号公報に記載されている技術では、上方に向かって開口する支持金具に下方に向かって突出する係止片が単に差し込まれているだけであって、取付後に、シャッターボックスに上方に向かって外力が加わると、簡単に外れてしまい、シャッターボックスが建物躯体から外れて落下するおそれがあるという第二の問題点があった。
【０００７】
さらに、後者の技術では、取付作業者がシャッターボックスを建物躯体に取り付ける際、建物躯体への支持金具がシャッターボックスの裏面側にある上に、単に、支持金具に係止片を差し込む構造であるため、係止片がしっかりと支持金具に引っかかったかどうかの判断が取付作業者に分かり難く、確実な取付作業をするのが容易ではないという第三の問題点があった。
【０００８】
そこで、請求項１記載の発明は、上記した従来の技術の有する第一乃至第三の問題点に鑑みてなされたものであり、その目的とするところは、外壁化粧部材を建物躯体に取り付けた後、外部突出部材を建物躯体に確実且つ容易に取り付けることができるとともに、防水性が良好な外部突出部材の取付構造を提供しようとするものである。
【０００９】
これに加え、請求項２記載の発明は、外部突出部材を固定するための仮止めをすることができて、取付作業を容易にすることができ、また上方突出片が仮止めフック部内で振動することがなく、外部突出部材を確実に固定することができる外部突出部材の取付構造を提供しようとするものである。
【００１０】
これに加え、請求項３記載の発明は、外部突出部材を建物躯体に固定することができるとともに、その取付作業も容易に行うことができ、また差込片を一時的に保持することができて、外部突出部材を建物躯体に固定する作業を容易に行うことができる外部突出部材の取付構造を提供しようとするものである。
【００１１】
これに加え、請求項４記載の発明は、建物躯体への雨水の浸入を抑え、防水性を担保した外部突出部材の取付構造を提供しようとするものである。
請求項５記載の発明は、外壁化粧部材を建物躯体に取り付けた後、外部突出部材を建物躯体に取り付けることができて、現場施工を効率的且つ容易にすることができる外部突出部材の取付方法を提供しようとするものである。
【００１２】
【課題を解決するための手段】
本発明は、上記した目的を達成するためのものである。
請求項１記載の発明は、建物躯体（４５）に突出した状態で固定される外部突出部材（１０）と、この外部突出部材（１０）の周囲の建物躯体（４５）の表面を所定の隙間をおいて覆う外壁化粧部材（４０）と、建物躯体（４５）の室外側の表面に固定され外部突出部材（１０）を支持する支持板（６５）とを備えた外部突出部材（１０）の取付構造であって、外部突出部材（１０）は、その上面の建物躯体（４５）側に上方向に突出する上方突出片（２０）を備え、この上方突出片（２０）は、その上端が外壁化粧部材（４０）の下端より前記隙間内に向かって上方に差し込まれるとともに、前記外壁化粧部材（４０）の下端と外部突出部材（１０）の上面との間から差し込まれる締結部材（２３）を介して建物躯体（４５）に固定される締結固定部（２１）を備え、外部突出部材（１０）の上方に隣接する外壁化粧部材（４０）の下端と外部突出部材（１０）の上面との間には、両者の間を埋める防水部材（３０）が形成され、前記締結固定部（２１）は、防水部材（３０）の建物躯体（４５）側に位置してなり、支持板（６５）は、上部において上方に向かって延びて建物躯体（４５）の表面との間に上方に向かって開口する隙間を有する引っ掛け部（６０）と、下部において上方に向かって延びて建物躯体（４５）の表面との間に上方に向かって開口する隙間を有する下部引っ掛け部（６１）とを備え、外部突出部材（１０）の建物躯体（４５）側の表面には、下方に向かって突出して引っ掛け部（６０）の隙間に差し込み可能な差込片（７０）が形成されるとともに、下部引っ掛け部（６１）にその縁を引っ掛けることができる穴が開口されていることを特徴とする。
【００１３】
なお、ここで、「外部突出部材(10)」とは、建物躯体(45)に突出した状態で固定されるものであって、例えば、シャッターボックス(12)や、庇(13)等が含まれる。
また、「外壁化粧部材(40)」とは、建物躯体(45)の表面を風雨、熱、光等から守るとともに、表面を化粧して建物躯体(45)の外観を良好に維持することができるものであって、いわゆるサイディングと呼ばれ、例えばセラミック等からなり、表面にランダムな凹凸模様や、幾何学的な表面模様等を有するものを含むものである。
【００１４】
また、ここで、「防水部材(30)」とは、外部突出部材(10)の上面と外壁化粧部材(40)の下端との間に充填され、両者間の水密性や気密性を確保することができるものであれば良いものである。また、この「防水部材(30)」は、油脂や樹脂や無機質の充填剤を練り混ぜたパテ状の湿式性のものや、ゴムや軟質樹脂等の乾式性のもの等の両者を含むものである。
【００１５】
本発明によれば、防水部材(30)が、外部突出部材(10)の上面と外壁化粧部材(40)の下端との間に形成され、締結固定部(21)は、防水部材(30)の建物躯体(45)側に位置している。すなわち、締結固定部(21)も、外部突出部材(10)の上面と外壁化粧部材(40)の下端との間に位置することとなり、防水部材(30)を形成する前は、反建物躯体(45)側から締結部材(23)を差し込んで、締結固定部(21)を建物躯体(45)に固定することができる。これにより、建物躯体(21)の表面に外壁化粧部材(40)を形成した後において、外部突出部材(10)を固定することができ、現場施工における施工手順の選択自由度が大となり、効率的な施工を行うことができる。また、予め外壁化粧部材(40)を固定した状態の工場製作の各種部材（例えば外壁化粧部材40を固定した壁パネル46等）を現場で組み立てることができ、プレファブリケーションによる住宅等における工場生産の割合を増やすことができ、効率的な施工を行うことができる。
【００１６】
また、上方突出片(20)は、締結固定部(21)を介して建物躯体(45)に固定されているため、単に、上方に向かって開口する支持金具に係止片が差し込まれているものと比較して、外部突出部材(10)に上方に向かって外力が加わっても、簡単に外れることがなく、外部突出部材(10)を建物躯体(45)に確実に取り付けることができる。また、締結部材(23)を使用するとともに、防水部材(30)を形成する前は、建物躯体(45)の外側から締結固定部(21)を目で確認することができるため、固定されているか否かの判断が明白であり、確実且つ容易に取り付けることができる。
【００１７】
また、本発明によれば、上方突出片(20)の上端が、外壁化粧部材(40)の下端より上方に差し込まれている。このため、外壁化粧部材(40)の下端から垂れ落ちる水滴が、上方突出片(20)の上端を越えて建物躯体(45)側に浸入することを防止することができる。これにより、外壁化粧部材(40)の表面を流れ落ちる雨水が建物躯体(45)に浸入することを抑えることができて、建物躯体(45)の防水性を担保することができる。
さらに、本発明によれば、建物躯体(45)の室外側の表面に固定した支持板(65)の引っ掛け部(60)と下部引っ掛け部(61)とに、外部突出部材(10)の建物躯体(45)側の表面に設けた差込片(70)と穴とを引っ掛け支持させるようにしているから、簡単な取付け作業によって確実な固定状態を得ることができる。
【００１８】
請求項２記載の発明は、建物躯体（４５）に突出した状態で固定される外部突出部材（１０）と、この外部突出部材（１０）の周囲の建物躯体（４５）の表面を所定の隙間をおいて覆う外壁化粧部材（４０）と、建物躯体（４５）の室外側の表面に固定され外部突出部材（１０）を支持する支持板（６５）とを備えた外部突出部材（１０）の取付構造であって、外部突出部材（１０）は、その上面の建物躯体（４５）側に上方向に突出する上方突出片（２０）を備え、この上方突出片（２０）は、その上端が外壁化粧部材（４０）の下端より前記隙間内に向かって上方に差し込まれるとともに、前記外壁化粧部材（４０）の下端と外部突出部材（１０）の上面との間から差し込まれる締結部材（２３）を介して建物躯体（４５）に固定される締結固定部（２１）を備え、外部突出部材（１０）の上方に隣接する外壁化粧部材（４０）の下端と外部突出部材（１０）の上面との間には、両者の間を埋める防水部材（３０）が形成され、前記締結固定部（２１）は、防水部材（３０）の建物躯体（４５）側に位置してなり、支持板（６５）には、下方側に向かって鉤状に折り返されて、上方突出片（２０）が差し込み可能であるとともに差し込まれた上方突出片（２０）の建物躯体（４５）側への動きを拘束する仮止めフック部（５０）と、外部突出部材（１０）の建物躯体（４５）側の下部を支持する支持部（６６）とが形成され、仮止めフック部（５０）は、前記隙間内に位置し、上方突出片（２０）は、仮止めフック部（５０）内の建物躯体（４５）側の内面に当接するとともに、その先端が反建物躯体（４５）側に向かって折れ曲がって仮止めフック部（５０）内の反建物躯体（４５）側の内面に当接していることを特徴とする。
【００１９】
本発明によれば、建物躯体(45)に、外部突出部材(10)の下部を支持する支持部(66)と、下方側に向かって鉤状に折り返された仮止めフック部(50)とが形成されている。このため、外部突出部材(10)の上面の上方突出片(20)の先端を仮止めフック部(50)の下方からその内部に差し込み、外部突出部材(10)の下部を支持部(66)に支持させる。これにより、下方から差し込まれた上方突出片(20)が、支持部(66)を回転の中心として反建物躯体側に振れようとしても、仮止めフック部(50)が下方側に向かって鉤状に折り返されているため、上方突出片(20)は仮止めフック部(50)の内面に当接して、その動きが拘束される。これにより、外部突出部材(10)を建物躯体(45)に固定するための仮止めをすることができて、取付作業を容易にすることができる。
【００２０】
さらに、本発明によれば、上方突出片(20)が、仮止めフック部(50)内の建物躯体(45)側の内面に当接するとともに、その先端が反建物躯体側に向かって折れ曲がって仮止めフック部(50)内の反建物躯体側の内面に当接している。このため、上方突出片(20)が仮止めフック部(50)内で、建物躯体(45)側や反建物躯体側に向かって動いて振れることを抑えることができる。これにより、上方突出片(20)が仮止めフック部(50)内で振動することによる異音や損耗の発生を抑え、外部突出部材(10)を建物躯体(45)に確実に固定することができる。
【００２１】
請求項３記載の発明は、建物躯体（４５）に突出した状態で固定される外部突出部材（１０）と、この外部突出部材（１０）の周囲の建物躯体（４５）の表面を所定の隙間をおいて覆う外壁化粧部材（４０）と、建物躯体（４５）の室外側の表面に固定され外部突出部材（１０）を支持する支持板（６５）とを備えた外部突出部材（１０）の取付構造であって、外部突出部材（１０）は、その上面の建物躯体（４５）側に上方向に突出する上方突出片（２０）を備え、この上方突出片（２０）は、その上端が外壁化粧部材（４０）の下端より前記隙間内に向かって上方に差し込まれるとともに、前記外壁化粧部材（４０）の下端と外部突出部材（１０）の上面との間から差し込まれる締結部材（２３）を介して建物躯体（４５）に固定される締結固定部（２１）を備え、外部突出部材（１０）の上方に隣接する外壁化粧部材（４０）の下端と外部突出部材（１０）の上面との間には、両者の間を埋める防水部材（３０）が形成され、前記締結固定部（２１）は、防水部材（３０）の建物躯体（４５）側に位置してなり、支持板（６５）には、上方に向かって延びて建物躯体（４５）との間に上方に向かって開口する隙間を有する引っ掛け部（６０）が形成され、外部突出部材（１０）の建物躯体（４５）側には、下方に向かって突出して引っ掛け部（６０）の隙間に差し込み可能な差込片（７０）が形成され、前記引っ掛け部（６０）には、その先端から斜め外側下方に延びて差込片（７０）を案内する案内部（６２）が形成され、案内部（６２）には、その下端から斜め外側上方に向かって折れ曲がった折れ曲がり部（６３）が形成されていることを特徴とする。
【００２２】
本発明によれば、建物躯体(45)には上方に向かって開口する隙間を有する引っ掛け部(60)が形成され、外部突出部材(10)には、下方に向かって突出する差込片(70)が形成されている。このため、この差込片(70)を引っ掛け部(60)に差し込むことにより、外部突出部材(10)を建物躯体(45)に固定することができる。そして、案内部(62)が、引っ掛け部(60)の先端から斜め外側下方に延びて形成されている。このため、差込片(70)を引っ掛け部(60)に差し込む際、差込片(70)を引っ掛け部(60)の先端近傍において建物躯体(45)側に向かって移動させることにより、案内部(62)の表面に当接させることができる。そして、差込片(70)を、さらに、建物躯体(21)側に向かって押し込むと、差込片(70)は、案内部(62)の表面に沿って引っ掛け部(60)にまで案内され、差込片(70)を引っ掛け部(60)の内部に挿入することができる。これにより、差込片(70)を引っ掛け部(60)の内部に入れる作業を容易にすることができ、外部突出部材(10)の取付作業を容易にすることができる。
【００２３】
さらに、本発明によれば、案内部(62)には、その下端から斜め外側上方に向かって折れ曲がった折れ曲がり部(63)が形成されている。このため、斜め外側下方に延びる案内部(62)と、この案内部(62)の下端から斜め外側上方に向かって折れ曲がった折れ曲がり部(63)とにより、縦断面形状が略Ｖ溝状のものを形成することができ、このＶ溝状の上面に下方に向かって突出する差込片(70)の下端を一時的に保持することができる。これにより、外部突出部材(10)の取付作業において、外部突出部材(10)を一時的に保持することができ、取付作業を容易なものにすることができる。
【００２４】
請求項４記載の発明は、上記した請求項１、請求項２または請求項３記載の特徴点に加え、上方突出片(20)は、その建物躯体(45)側に水密材(22)が形成されていることを特徴とする。
本発明によれば、上方突出片(20)の建物躯体(45)側に水密材(22)が形成されているため、外部突出部材(10)を建物躯体(45)に固定し、上方突出片(20)が建物躯体(45)の表面に当接すると、上方突出片(20)と建物躯体(45)との間に水密材(22)が介在した状態となる。これにより、上方突出片(20)と建物躯体(45)との間から雨水等が建物躯体(45)側に向かって浸入することを抑えることができ、建物躯体(45)の防水性を担保することができる。
【００２５】
請求項５記載の発明は、建物躯体(45)に突出した状態で固定される外部突出部材(10)と、この外部突出部材(10)の上方の建物躯体(45)の表面を覆う外壁化粧部材(40)と、建物躯体(45)の室外側の表面に固定され外部突出部材(10)を支持する支持板(65)とを備えた外部突出部材(10)の取付方法であって、この外部突出部材(10)は、その上面の建物躯体(45)側に上方向に突出する上方突出片(20)を備え、この上方突出片(20)は、締結部材(23)を介して建物躯体(45)に固定される締結固定部(21)を備え、支持板(65)は、上部において上方に向かって延びて建物躯体(45)の表面との間に上方に向かって開口する隙間を有する引っ掛け部(60)と、下部において上方に向かって延びて建物躯体(45)の表面との間に上方に向かって開口する隙間を有する下部引っ掛け部(61)とを備え、外壁化粧部材(40)と建物躯体(45)との間の隙間内に上方突出片(20)を差し込む工程と、外部突出部材(10)の上方に隣接する外壁化粧部材(40)の下端と外部突出部材(10)の上面との間に締結固定部(21)を配置する工程と、外部突出部材(10)の建物躯体(45)側の表面に形成されている差込片(70)を引っ掛け部(60)の隙間に差し込み、穴の縁を下部引っ掛け部(61)に引っ掛ける工程と、外部突出部材(10)の上方に隣接する外壁化粧部材(40)の下端と外部突出部材(10)の上面との間から締結部材(23)を差し込んで締結固定部(21)を建物躯体(45)に固定する工程と、外部突出部材(10)の上方に隣接する外壁化粧部材(40)の下端と外部突出部材(10)の上面との間を防水部材(30)により埋める工程とを備えたことを特徴とする。
【００２６】
本実施の形態に係る外部突出部材(10)の取付手順について説明する。
先ず、最初に、外壁化粧部材(40)と建物躯体(45)との間に上方突出片(20)を差し込む。次に、外部突出部材(10)の上方に隣接する外壁化粧部材(40)の下端と外部突出部材(10)上面との間に締結固定部(21)を配置する。
【００２７】
次に、外部突出部材(10)の建物躯体(45)側の表面に形成されている差込片(70)を、引っ掛け部(60)の隙間に差し込み、、また穴の縁を下部引っ掛け部(61)に引っ掛ける。
次に、外部突出部材(10)の上方に隣接する外壁化粧部材(40)の下端と外部突出部材(10)上面との間から締結部材(23)を差し込んで締結固定部(21)を建物躯体(45)に固定する。
次に、外部突出部材(10)の上方に隣接する外壁化粧部材(40)の下端と外部突出部材(10)上面との間を防水部材(30)により埋める。
【００２８】
これにより、外部突出部材(10)の取付作業が終了する。
このような本発明によれば、締結固定部(21)を、外部突出部材(10)の上面と外壁化粧部材(40)の下端との間に配置し、反建物躯体(45)側から締結部材(23)を差し込んで、締結固定部(21)を建物躯体(45)に固定している。すなわち、建物躯体(21)の表面に外壁化粧部材(40)を形成した後において、外部突出部材(10)を固定している。このため、現場施工における施工手順の選択自由度が大となり、効率的な施工を行うことができる。また、予め外壁化粧部材(40)を取り付けた状態の工場製作の外壁部材（例えば、外壁化粧部材40を予め工場で固定した壁パネル46）を現場で組み立てることができ、プレファブリケーションによる住宅等における工場生産の割合を増やすことができ、より効率的な現場施工を得ることができる。
【００２９】
【発明の実施の形態】
以下、本発明の実施の形態を図面に基づいて、更に詳しく説明する。
図１乃至図４は、本発明の第一の実施の形態を示すものであり、図１は外部突出部材の取付構造の縦断面図、図２は外部突出部材を取り付ける状態の縦断面図、図３は支持板の正面図、図４は支持板の側面図をそれぞれ示す。
【００３０】
まず、本実施の形態の構成について説明する。
本実施の形態に係る外部突出部材の取付構造は、建物躯体45に突出した状態で固定される外部突出部材10と、この外部突出部材10の周囲の建物躯体45の表面を覆う外壁化粧部材40とを備えているものである。なお、建物躯体45は、特に図示しないが、木質からなり四角枠状の枠材及びこの枠内を塞ぐ面材からなる壁パネル46から形成されているものである。また、外壁化粧部材40は、いわゆるサイディングであって、セラミックからなり、表面に凹凸状の模様を有しているものである。
そして、この外壁化粧部材40は、工場において、予め壁パネル46の表面に固定された状態で、現場に搬送されるものである。すなわち、現場において壁パネル46を組み立てる際には、既に外壁化粧部材40を取り付けられた状態のものを組み立てるだけで済むものである。
【００３１】
前記外部突出部材10は、全体形状が四角箱状の、いわゆるシャッターボックス12であって、その内部にシャッター14が巻かれた状態で内蔵されているものである。そして、このシャッターボックス12は、建物躯体45に取り付けられた状態で、下面側からシャッター14が下方に繰り出されるように形成されている。このシャッターボックス12は、建物躯体45に開口する開口部を有する窓や、出入口等の上部に取り付けられ、かかる開口部をシャッター14により塞ぐことができるように形成されているものである。
【００３２】
そして、この外部突出部材10は、その上面の建物躯体45側に上方向に突出する上方突出片20を備えている。この上方突出片20の上端は、外壁化粧部材40の下端より上方に差し込まれている。そして、この上方突出片20は、締結部材23を介して建物躯体45に固定される締結固定部21を備えている。この締結固定部21は、具体的には、締結部材23が差し込み可能に上方突出片20の表裏に貫通する孔から形成されているものである。
また、上方突出片20の建物躯体45側には、弾性ゴムからなる水密材22が貼付されている。
【００３３】
そして、外部突出部材10の上方に隣接する外壁化粧部材40の下端と、外部突出部材10の上面との間には、両者の間を埋めるパテ状の湿式性のものからなる防水部材30が形成されている。そして、前記締結固定部21は、防水部材30の建物躯体45側に位置するように設定されている。建物躯体45の室外側の表面には、金属からなり、縦方向に長い薄板状の支持板65が釘等により固定されている。
この支持板65は、その上部において、上方に向かって延びて建物躯体45の表面との間に上方に向かって開口する隙間を有する引っ掛け部60が形成されている。そして、支持板65の下部においても、上方に向かって延びて建物躯体45の表面との間に上方に向かって開口する隙間を有する下部引っ掛け部61が形成されている。なお、この支持板65も、工場において、予め壁パネル46の表面に固定されているものである。
【００３４】
そして、外部突出部材10の建物躯体側の表面には、下方に向かって突出して引っ掛け部60の隙間に差し込み可能な差込片70が形成されている。この差込片70は具体的には、金属からなり縦断面形状が略Ｌ字状となるように形成されている。そして、特に図示していないが、外部突出部材10の建物躯体側の表面下部には、下部引っ掛け部61にその縁を引っかけることができる穴が開口され、その穴の縁が下部引っ掛け部61の隙間に引っかかるように設定されている。
【００３５】
次に、本実施の形態に係るシャッターボックス12となる外部突出部材10の取付手順について説明する。
先ず、最初に、外壁化粧部材40及び支持板65が予め一体となって形成された壁パネル46を組み立てる。
次に、図２に示すように、外壁化粧部材40と壁パネル46との間に上方突出片20を差し込む。なお、この外壁化粧部材40と壁パネル46との間の隙間は、特に図示しないが、両者の間に形成される長尺状の木質からなる胴縁の厚み分だけ空いているものである。
【００３６】
次に、外部突出部材10の上方に隣接する外壁化粧部材40の下端と外部突出部材10上面との間に上方突出片20の途中に位置する締結固定部21を配置する。
また、同時に、差込片70を引っ掛け部60の上方から引っ掛け部60と建物躯体45との間の隙間に差し込んで引っ掛ける。また、特に図示しないが、同時に、外壁化粧部材40の建物躯体45に開口する孔の縁を下部引っ掛け部61に差し込んで、引っ掛ける。
【００３７】
次に、外部突出部材10の上方に隣接する外壁化粧部材40の下端と外部突出部材10上面との間からドライバー等の締結道具を用いて締結部材23を差し込むとともにねじ込んで、この締結部材23を介して締結固定部21を建物躯体45に固定する。
次に、外部突出部材10の上方に隣接する外壁化粧部材40の下端と外部突出部材10上面との間を湿式性の防水部材30により隙間が生じないように埋める。
【００３８】
これにより、図１に示すように、外部突出部材10の取付作業が終了する。
次に、上記した実施の形態の作用及び効果について説明する。
本実施の形態は、防水部材30が、外部突出部材10の上面と外壁化粧部材40の下端との間に形成され、締結固定部21は、防水部材30の建物躯体45側に位置している。したがって、締結固定部21は、防水部材30の建物躯体45側、すなわち、外部突出部材10の上面と外壁化粧部材40の下端との間に位置することとなる。このため、防水部材30を形成する前は、反建物躯体45側から締結部材23を差し込んで、締結固定部21を建物躯体45に固定することができる。これにより、建物躯体21の表面に外壁化粧部材40を形成した後において、外部突出部材10を固定することができ、予め外壁化粧部材40を固定した状態の工場製作の壁パネル46を現場で組み立てることができる。
結果として、プレファブリケーションによる住宅における部品の工場生産の割合を増やすことができ、効率的な施工を行うことができる。
【００３９】
もちろん、外部突出部材10を壁パネル46に固定した後に外壁化粧部材40を取り付けることもでき、建物躯体45の表面への外壁化粧部材40の形成の有無に影響されることなく、外部突出部材10を固定することができる。これにより、現場施工における施工手順の選択自由度が大となって、効率的な施工を行うことができる。
【００４０】
また、上方突出片20は、締結固定部21を介して建物躯体45に固定されているため、単に、上方に向かって開口する支持金具に係止片が差し込まれているものと比較して、外部突出部材10に上方に向かって外力が加わっても、簡単に外れることがなく、外部突出部材10を建物躯体45に確実に取り付けることができる。また、締結部材23を使用するとともに、締結固定部21を建物躯体45の外側から目で見ることができるため、固定されているか否かの判断が明白であり、確実に取り付けることができる。
【００４１】
また、上方突出片20の上端が、外壁化粧部材40の下端より上方に差し込まれている。このため、外壁化粧部材40の下端から垂れ落ちる水滴が、上方突出片20の上端を越えて建物躯体45側に浸入することを防止することができる。これにより、外壁化粧部材40の表面を流れ落ちる雨水の建物躯体45への浸入を抑えて、建物躯体45の防水性を担保することができる。
【００４２】
そして、本実施の形態において、建物躯体45には上方に向かって開口する隙間を有する引っ掛け部60が形成され、外部突出部材10には、下方に向かって突出する差込片70が形成されている。このため、この差込片70を引っ掛け部60に差し込むことにより、外部突出部材10を建物躯体45に固定することができる。
そして、本実施の形態において、上方突出片20の建物躯体45側に水密材22が形成されているため、外部突出部材10を建物躯体45に固定し、上方突出片20が建物躯体45の表面に当接すると、上方突出片20と建物躯体45との間に水密材22が介在した状態となる。これにより、上方突出片20と建物躯体45との間から雨水等が建物躯体45側に向かって浸入することを抑えることができ、建物躯体45の防水性を担保することができる。
【００４３】
次に、第二の実施の形態について説明する。
図５乃至図９は、本発明の第二の実施の形態であって、図５は外部突出部材の取付構造の縦断面図、図６は外部突出部材を取り付け前の状態の縦断面図、図７は上方突出片を仮止めフック部内に差し込んだ状態の縦断面図、図８は支持板の正面図、図９は支持板の側面図をそれぞれ示す。
【００４４】
本実施の形態は、建物躯体45には、外部突出部材10を建物躯体45に固定するための金属からなる支持板65が固定され、この支持板65は、その上部に位置して下方側に向かって鉤状に折り返されて、上方突出片20が差し込み可能であるとともに差し込まれた上方突出片20の建物躯体45側への動きを拘束する仮止めフック部50と、外部突出部材10の建物躯体45側の下部を支持する支持部66とを備えているものである。そして、上方突出片20は、仮止めフック部50内の建物躯体45側の内面に当接するとともに、その先端が反建物躯体45側に向かって折れ曲がって仮止めフック部50内の反建物躯体45側の内面に当接している。そして、上方突出片20の途中に締結固定部21が形成され、この締結固定部21が外壁化粧部材40の下端と外部突出部材10の上面との間に位置するように形成されている点は、第一の実施の形態と同様である。
その他の構成は、第一の実施の形態と略同様であって、同様の構成には、同一の部品番号を付与して説明を省略する。
【００４５】
次に、上記した実施の形態の作用及び効果について説明する。
本実施の形態は、建物躯体45に、外部突出部材10を固定するための支持板65が固定され、この支持板65は、外部突出部材10の下部を支持する支持部66と、下方側に向かって鉤状に折り返された仮止めフック部50とを備えている。このため、図７に示すように、外部突出部材10の上面の上方突出片20の先端を仮止めフック部50の下方からその内部に差し込み、外部突出部材10の下部を支持部66に支持させる。これにより、下方から差し込まれた上方突出片20は、支持板65を回転の中心として反建物躯体側に振れようとしても、仮止めフック部50が下方側に向かって鉤状に折り返されているため、上方突出片20は仮止めフック部50の内面に当接して、その動きが拘束される。これにより、外部突出部材10を建物躯体45に固定するために支持部66に載置した状態で仮止めをすることができて、取付作業を容易にすることができる。
【００４６】
そして、本実施の形態において、上方突出片20が、仮止めフック部50内の建物躯体45側の内面に当接するとともに、その先端が反建物躯体側に向かって折れ曲がって仮止めフック部50内の反建物躯体側の内面に当接している。このため、上方突出片20が仮止めフック部50内で、建物躯体45側や反建物躯体側に向かって動いて振れることを抑えることができる。これにより、上方突出片20が振動して異音を発生させたり、損耗することを抑え、外部突出部材10を建物躯体45に確実に固定することができる。
【００４７】
次に、第三の実施の形態について説明する。
図１０乃至図１５は、本発明の第三の実施の形態であって、図１０は外部突出部材の取付構造の縦断面図、図１１は外部突出部材を取り付け前の状態の縦断面図、図１２は差込片を折れ曲がり部と案内部との間に仮置きした状態の縦断面図、図１３は締結部材により上方突出片を建物躯体に固定する状態の縦断面図、図１４は支持板の正面図、図１５は支持板の側面図をそれぞれ示す。
【００４８】
本実施の形態は、外部突出部材10を建物躯体45に固定するための支持板65が、その上部に位置して上方に向かって開口する隙間を有する引っ掛け部60と、支持板65の下部に位置して外部突出部材10の建物躯体45側の下部を支持する支持板65とを備えている。そして、外部突出部材10の建物躯体45側には、下方に向かって突出して引っ掛け部60の隙間に差し込み可能な差込片70が形成されている。そして、引っ掛け部60には、その先端から斜め外側下方に延びて差込片70を案内する案内部62が形成されている。この案内部62には、その下端から斜め外側上方に向かって折れ曲がった折れ曲がり部63が形成されている。すなわち、案内部62及び折れ曲がり部63により、上方に向かって開口するＶ溝状のものが形成されている。
その他の構成は、第一の実施の形態と略同様であって、同様の構成には、同一の部品番号を付与して説明を省略する。
【００４９】
次に、本実施の形態に係る外部突出部材10の取付作業手順について説明する。
先ず、最初に、図１１に示すように、予め外壁化粧部材40及び支持板65を表面に固定した壁パネル46により、建物躯体45を形成する。もちろん、外壁化粧部材40や支持板65は、壁パネル46を組み立てた後に固定しても良いものである。
次に、図１２に示すように、外部突出部材10の差込片70を支持板65の折れ曲がり部63と案内部62との間のＶ溝状の溝に仮置きする。そして、外部突出部材10を更に、建物躯体45側の斜め上方に向かって押し込む。これにより、差込片70が案内部62の表面に沿って滑り上がり、差込片70は引っ掛け部60の隙間の間に入り込む。これにより、差込片70が引っ掛け部60の内部に引っかかり、外部突出部材10の自重により両者は容易には外れない状態となる。同時に外部突出部材10の下部を支持板65の下部の支持部66の上に載置し、ねじ等の締結部材により固定する。
【００５０】
なお、固定の際、上方突出片20の締結固定部21が外壁化粧部材40の下端と外部突出部材10の上面との間に位置するように設定する。
次に、図１３に示すように、外壁化粧部材40の下端と外部突出部材10の上面との間から、ドライバー等の締結治具により、締結部材23を締結固定部21及び壁パネル46にねじ込み、締結部材23を介して締結固定部21及び壁パネル46を固定する。
【００５１】
次に、図１０に示すように、外壁化粧部材40の下端と外部突出部材10の上面との間に防水部材30を充填して、両者の間から雨水等が建物躯体45側に向かって入り込まないように防水処理を施す。これにより、外部突出部材10の取付作業が終了する。
次に、上記した実施の形態の作用及び効果について説明する。
【００５２】
本実施の形態は、案内部62には、その下端から斜め外側上方に向かって折れ曲がった折れ曲がり部63が形成されている。このため、斜め外側下方に延びる案内部62と、この案内部62の下端から斜め外側上方に向かって折れ曲がった折れ曲がり部63とにより、縦断面形状が略Ｖ溝状のものを形成することができ、このＶ溝状の内部に下方に向かって突出する差込片70の下端を一時的に保持することができる。これにより、外部突出部材10の取付作業において、外部突出部材10を一時的に保持することができ、取付作業を容易なものにすることができる。
そして、案内部62が、引っ掛け部60の先端から斜め外側下方に延びて折れ曲がり部63の下端にまで形成されている。このため、差込片70を折れ曲がり部63と案内部62との間に仮置きしない場合においては、差込片70を引っ掛け部60の先端近傍において建物躯体45側に向かって移動させることにより、差込片70を案内部62の表面に当接させることができる。そして、差込片70を、さらに、建物躯体21側に向かって押し込むと、差込片70は、案内部62の表面に沿って引っ掛け部60にまで案内され、差込片70を引っ掛け部60の内部に挿入することができる。
また、差込片70を折れ曲がり部63と案内部62との間に仮置きする場合においては、その仮置きした状態の差込片70を建物躯体45側に向かって押し込むと、差込片70は案内部62の表面に沿って引っ掛け部60にまで案内され、差込片70を引っ掛け部60の内部に挿入することができる。これにより、差込片70を引っ掛け部60の内部に入れる作業を容易にすることができ、外部突出部材10の取付作業を容易にすることができる。
【００５３】
次に、第四の実施の形態について説明する。
図１６は、本発明の第四の実施の形態であって、外部突出部材の取付構造の縦断面図を示すものである。
本実施の形態は、外部突出部材10が庇13の場合の取付構造である。この庇13の場合も、第一の実施の形態で示したシャッターボックス12の場合と略同様の構成であって、同様の作用及び効果を奏するものである。
すなわち、庇13は、その建物躯体45側の上面から上方に向かって突出する上方突出片20を備え、この上方突出片20は、締結部材23を介して建物躯体45に固定される締結固定部21を有している。そして、外壁化粧部材40の下端と庇13の上面との間には、防水部材30が形成され、その防水部材30の建物躯体45側に締結固定部21が位置するように設定されているものである。これにより、建物躯体45である壁パネル46の表面に予め外壁化粧部材40を形成していても、外壁化粧部材40の下端と外部突出部材10の上面との間から締結部材23を差し込んで、上方突出片20の締結固定部21を建物躯体45に固定することができる。
このように、建物躯体45の外側に突出して固定する外部突出部材10が庇13の場合であっても、外壁化粧部材40を予め固定した状態の建物躯体45に固定することができる。これにより、工場で組み立てられた外壁化粧部材40付きの壁パネル46の使用が可能となり現場での施工を容易なものにすることができる。
【００５４】
【発明の効果】
本発明は、以上のように構成されているので、以下に記載されるような効果を奏する。
請求項１記載の発明によれば、外壁化粧部材を建物躯体に取り付けた後、外部突出部材を建物躯体に確実且つ容易に取り付けることができる外部突出部材の取付構造を提供することができる。
【００５５】
さらに、請求項１記載の発明によれば、防水性が良好な外部突出部材の取付構造を提供することができる。
請求項２記載の発明によれば、外部突出部材を固定するための仮止めをすることができて、取付作業を容易にすることができる外部突出部材の取付構造を提供することができる。
【００５６】
さらに、請求項２記載の発明によれば、上方突出片が仮止めフック部内で振動することがなく、外部突出部材を確実に固定することができる外部突出部材の取付構造を提供することができる。
請求項３記載の発明によれば、外部突出部材を建物躯体に固定することができるとともに、その取付作業も容易に行うことができる外部突出部材の取付構造を提供することができる。
【００５７】
また、請求項３記載の発明によれば、差込片を一時的に保持することができて、外部突出部材を建物躯体に固定する作業を容易に行うことができる外部突出部材の取付構造を提供することができる。
請求項４記載の発明によれば、建物躯体への雨水の浸入を抑え、防水性を担保した外部突出部材の取付構造を提供することができる。
【００５８】
請求項５記載の発明によれば、外壁化粧部材を建物躯体に取り付けた後、外部突出部材を建物躯体に取り付けることができて、現場施工を効率的且つ容易にすることができる外部突出部材の取付方法を提供することができる。
【図面の簡単な説明】
【図１】  本発明の第一の実施の形態であって、外部突出部材の取付構造を示す縦断面図である。
【図２】  本発明の第一の実施の形態であって、外部突出部材を取り付ける状態を示す縦断面図である。
【図３】  本発明の第一の実施の形態であって、支持板を示す正面図である。
【図４】  本発明の第一の実施の形態であって、支持板を示す側面図である。
【図５】  本発明の第二の実施の形態であって、外部突出部材の取付構造を示す縦断面図である。
【図６】  本発明の第二の実施の形態であって、外部突出部材を取り付け前の状態を示す縦断面図である。
【図７】  本発明の第二の実施の形態であって、上方突出片を仮止めフック部内に差し込んだ状態を示す縦断面図である。
【図８】  本発明の第二の実施の形態であって、支持板を示す正面図である。
【図９】  本発明の第二の実施の形態であって、支持板を示す側面図である。
【図１０】  本発明の第三の実施の形態であって、外部突出部材の取付構造を示す縦断面図である。
【図１１】  本発明の第三の実施の形態であって、外部突出部材を取り付け前の状態を示す縦断面図である。
【図１２】  本発明の第三の実施の形態であって、差込片を折れ曲がり部と案内部との間に仮置きした状態を示す縦断面図である。
【図１３】  本発明の第三の実施の形態であって、締結部材により上方突出片を建物躯体に固定する状態を示す縦断面図である。
【図１４】  本発明の第三の実施の形態であって、支持板を示す正面図である。
【図１５】  本発明の第三の実施の形態であって、支持板を示す側面図である。
【図１６】  本発明の第四の実施の形態であって、外部突出部材の取付構造を示す縦断面図である。
【符号の説明】
10…外部突出部材、11…防水部材、12…シャッターボックス、13…庇、14…シャッター、15…本体固定部、20…上方突出片、21…締結固定部、22…水密材、23…締結部材、30…防水部材、40…外壁化粧部材、45…建物躯体、46…壁パネル、50…仮止めフック部、60…引っ掛け部、61…下部引っ掛け部、62…案内部、63…折れ曲がり部、65…支持板、66…支持部、70…差込片。
【図１】
0004242469.tif 000002
【図２】
0004242469.tif 000003
【図３】
0004242469.tif 000004
【図４】
0004242469.tif 000005
【図５】
0004242469.tif 000006
【図６】
0004242469.tif 000007
【図７】
0004242469.tif 000008
【図８】
0004242469.tif 000009
【図９】
0004242469.tif 000010
【図１０】
0004242469.tif 000011
【図１１】
0004242469.tif 000012
【図１２】
0004242469.tif 000013
【図１３】
0004242469.tif 000014
【図１４】
0004242469.tif 000015
【図１５】
0004242469.tif 000016
【図１６】
0004242469.tif 000017